(57)【要約】【課題】積み重ねることができる製本物と積み重ねることができない製本物とが製本される場合であっても、糊の冷却時間を確保できると共に、省スペース化を実現できる。【解決手段】製本物３０を積み重ねるための集積装置５と、製本物３０を断裁機１０１へ搬送するためのコンベヤー装置２と、製本物３０に設けられた情報部を読み取るための情報読取り部３と、を備え、制御部４は、情報読取り部３からの情報に基づいて、製本機１００から搬出される製本物３０と次の製本物３０’とを積み重ね可能か否かを判定し、製本物３０が集積装置５から搬出されるまで、コンベヤー装置２による製本物３０の搬送を待機し、製本物３０が集積装置５から搬出されるごとに、コンベヤー装置２で製本物３０を間欠的に搬送する。【選択図】図１
2014054731.tif 000002
【特許請求の範囲】
【請求項１】
無線綴じ処理で製本物を製本する製本機と前記製本物の端辺部を断裁する断裁機との間に設けられ、前記無線綴じ処理で前記製本物に付着した糊を冷却するための冷却システムであって、
前記製本機から搬出される前記製本物を積み重ねるための集積装置と、
前記集積装置から搬出される前記製本物を前記断裁機へ搬送するためのコンベヤー装置と、
前記製本物を前記集積装置から前記コンベヤー装置へ搬出するための搬出部と、
前記製本物に設けられた情報部を読み取るための情報読取り部と、
前記搬出部及び前記コンベヤー装置の動作を制御するための制御部と、を備え、
前記制御部は、前記情報読取り部からの情報に基づいて、前記製本機から搬出される前記製本物と次の前記製本物とを積み重ね可能か否かを判定し、
積み重ね可能と判定した場合、前記製本物と前記次の製本物とを前記集積装置で積み重ねて、
積み重ね不可能と判定した場合、前記製本物と前記次の製本物とを前記集積装置で積み重ねないように、前記集積装置から前記コンベヤー装置へ搬出し、
前記製本物が前記集積装置から搬出されるまで、前記コンベヤー装置による前記製本物の搬送を待機し、前記製本物が前記集積装置から搬出されるごとに、前記コンベヤー装置で前記製本物を間欠的に搬送する
ことを特徴とする冷却システム。
【請求項２】
前記情報部は、断裁前の前記製本物の寸法と前記断裁機による断裁後の前記製本物の寸法とからなる寸法情報を備え、
前記制御部は、前記製本機から搬出される前記製本物の寸法情報と、前記製本機から搬出される次の前記製本物の寸法情報とが同一の場合、前記製本物と前記次の製本物とは積み重ね可能と判定し、同一でない場合、前記製本物と前記次の製本物とは積み重ね不可能と判定する
ことを特徴とする請求項１に記載の冷却システム。
【請求項３】
前記集積装置に積み重ねる前記製本物の数を入力するための入力部を備え、
前記制御部は、前記情報読取り部で読み取った情報の数に基づいて、前記製本物と前記次の製本物とを積み重ねると、前記集積装置に積み重ねられる前記製本物の数が、前記入力部に入力された数を超える場合に、前記製本物と前記次の製本物とは積み重ね不可能と判定する
ことを特徴とする請求項１又は２に記載の冷却システム。
【請求項４】
前記情報部は、前記製本物の厚みの寸法からなる厚み情報を備え、
前記制御部は、前記情報読取り部からの前記厚み情報に基づいて、前記製本物と前記次の製本物とを積み重ねると、前記集積装置に積み重ねられる前記製本物の厚みが、所定の閾値を超える場合に、前記製本物と前記次の製本物とは積み重ね不可能と判定する
ことを特徴とする請求項１〜３のいずれかに記載の冷却システム。
【発明の詳細な説明】
【技術分野】
【０００１】
本発明は、無線綴じ処理で製本物を製本する製本機と、製本物の端辺部を断裁する断裁機と、の間に設けられ、無線処理綴じで製本物に付着した糊を冷却するための冷却システムに関するものである。
【背景技術】
【０００２】
無線綴じ処理で製本物を製本する製本機は、本身（一冊分の用紙束）を揃えてクランパで挟持し、本身の背面をフライスカッターで削ることで面一にするミーリング部と、本身の背面にホットメルトの糊を付ける糊付け部と、本身の背面に表紙を押し当てて、ニップ板で挟むことで本身に表紙を取り付ける表紙取付け部と、を備える。製本機によって作成された製本物を仕上げるために、断裁機は、製本物の天辺縁部、地辺縁部および小口辺縁部を断裁する。
【０００３】
製本機と断裁機との間にコンベヤー装置を備え、製本機によって製本された製本物をコンベヤー装置で断裁機へ搬送して製本物を仕上げる製本システムがある。例えば、特許文献１の図２に示すとおり、製本システムは、製本機１と、製本機１によって製本された製本物３を排出する排出コンベヤー４と、複数の製本物３を積み重ねる集積装置５と、積み重ねられた製本物３を搬送するコンベヤー装置７，１１と、断裁機１２と、を備える。
【０００４】
上記の通り、製本機で製本される製本物は、製本機の糊付け部によって、本身の背面に糊が付着されている。この糊が半乾きの間に製本物を断裁機で断裁すると、本身と表紙との間の強度不足によって奇麗な製本物に仕上げることができない。そのため、特許文献１の図２に示すとおり、製本システムは、コンベヤー装置７，１１で一定の時間をかけて製本物３を搬送して、その間で、製本物の糊を自然に冷却させて硬化させている。
【０００５】
従来の製本システムでは、上記の通り、製本機から搬出される複数の製本物を集積装置で積み重ねて、その後、積み重ねられた製本物をコンベヤー装置で送る。複数の製本物を積み重ねた後に送るので、積み重ねている時間だけ製本物の搬送速度（コンベヤー装置の搬送速度）を遅くすることができ、その結果、製本物の搬送距離（コンベヤー装置の搬送距離）が短いにもかかわらず、糊を冷却するための時間を確保できる。
【０００６】
従来の製本システムでは、多部数の同一寸法の製本物を製本するので、それぞれの製本物における断裁前後の寸法が同一であり、複数の製本物を積み重ねて搬送しても問題はない。ところが、近年では、デジタル印刷機によるバリアブル印刷の増加に伴って、一冊ずつ又は少部数ずつ寸法が異なる製本物を製本するための製本システムが要求される。この場合に、積み重ねることができない製本物が一冊でも製本されると、集積装置から一冊ずつ製本物を搬出する必要がある。集積装置から搬出される製本物は、一定速度で連続的に搬送されるので、製本物の搬送速度（コンベヤー装置の搬送速度）を速くしなければ、後に搬出される製本物に衝突する。その結果、コンベヤー装置の搬送速度を速くする必要があり、それによって、製本物が速く断裁機に到着するので、糊を冷却するための時間を確保できない問題がある。また、製本物の搬送距離（コンベヤー装置の搬送距離）を長くすれば、糊を冷却する時間を確保できるが、その場合、大きなスペースが必要となる問題がある。
【先行技術文献】
【特許文献】
【０００７】
【特許文献１】特開平１１−９９７６９号公報
【発明の概要】
【発明が解決しようとする課題】
【０００８】
そこで、本発明が解決しようとする課題は、積み重ねることができる製本物と積み重ねることができない製本物とが製本される場合であっても、糊の冷却時間を確保できると共に、省スペース化を実現できる冷却システムを提供することである。
【課題を解決するための手段】
【０００９】
上記課題を解決するために、本発明に係る冷却システムは、
無線綴じ処理で製本物を製本する製本機と製本物の端辺部を断裁する断裁機との間に設けられ、無線綴じ処理で製本物に付着した糊を冷却するための冷却システムであって、
製本機から搬出される製本物を積み重ねるための集積装置と、
集積装置から搬出される製本物を断裁機へ搬送するためのコンベヤー装置と、
製本物を集積装置からコンベヤー装置へ搬出するための搬出部と、
製本物に設けられた情報部を読み取るための情報読取り部と、
搬出部及びコンベヤー装置の動作を制御するための制御部と、を備え、
制御部は、情報読取り部からの情報に基づいて、製本機から搬出される製本物と次の製本物とを積み重ね可能か否かを判定し、
積み重ね可能と判定した場合、製本物と次の製本物とを集積装置で積み重ねて、
積み重ね不可能と判定した場合、製本物と次の製本物とを集積装置で積み重ねないように、集積装置からコンベヤー装置へ搬出し、
製本物が集積装置から搬出されるまで、コンベヤー装置による製本物の搬送を待機し、製本物が集積装置から搬出されるごとに、コンベヤー装置で製本物を間欠的に搬送する。
【００１０】
好ましくは、
情報部は、断裁前の製本物の寸法と断裁機による断裁後の製本物の寸法とからなる寸法情報を備え、
制御部は、製本機から搬出される製本物の寸法情報と、製本機から搬出される次の製本物の寸法情報とが同一の場合、製本物と次の製本物とは積み重ね可能と判定し、同一でない場合、製本物と次の製本物とは積み重ね不可能と判定する。
【００１１】
好ましくは、
集積装置に積み重ねる製本物の数を入力するための入力部を備え、
制御部は、情報読取り部で読み取った情報の数に基づいて、製本物と次の製本物とを積み重ねると、集積装置に積み重ねられる製本物の数が、入力部に入力された数を超える場合に、製本物と次の製本物とは積み重ね不可能と判定する。
【００１２】
好ましくは、
情報部は、製本物の厚みの寸法からなる厚み情報を備え、
制御部は、情報読取り部からの厚み情報に基づいて、製本物と次の製本物とを積み重ねると、集積装置に積み重ねられる製本物の厚みが、所定の閾値を超える場合に、製本物と次の製本物とは積み重ね不可能と判定する。
【発明の効果】
【００１３】
上記の通り、本発明に係る冷却システムは、製本物に設けられた情報部を読み取るための情報読取り部を備えており、制御部は、情報読取り部からの情報に基づいて、製本機から搬出される製本物と次の製本物とを積み重ね可能か判定する。そして、制御部は、積み重ね可能と判定した場合、製本物と次の製本物とを積み重ねて、積み重ね不可能と判定した場合は、製本物と次の製本物とを積み重ねないように、集積装置からコンベヤー装置へ搬出する。そして、制御部は、製本物が集積装置から搬出されるまで、コンベヤー装置による製本物の搬送を待機し、製本物が集積装置から搬出されるごとに、コンベヤー装置で製本物を間欠的に搬送する。
【００１４】
上記の通り、積み重ねることができる製本物と積み重ねることができない製本物とが製本される製本システムにおいて、冷却システムのコンベヤー装置は、製本物を一定の速度で連続的に搬送するものではなく、製本物が集積装置から搬出されるごとに、製本物を間欠的に搬送するように構成されている。
【００１５】
従って、製本物がコンベヤー装置へ搬出された後に、複数の製本物を積み重ねることができる場合、後の複数の製本物が積み重ねられている間、先の製本物は搬送されずに待機している。即ち、本発明の冷却システムは、できるだけ複数の製本物を積み重ねると共に、積み重ねている間は製本物の搬送を待機して、製本物を間欠的に搬送するように構成されている。複数の製本物を積み重ねている間、コンベヤー装置による製本物の搬送を待機させ、製本物を間欠的に搬送することで、糊を冷却する時間を確保できるので、製本物の搬送距離を長くすることなく、省スペース化を実現できる。
【図面の簡単な説明】
【００１６】
【図１】本発明に係る冷却システムを備えた製本システムを示す平面図。
【図２】冷却システムを示す側面図。
【図３】情報読取り部を説明するための平面図。
【図４】制御部の制御手順を説明するためのフローチャート。
【発明を実施するための形態】
【００１７】
以下、図面に基づいて、本発明に係る冷却システムについて説明する。
【００１８】
図１の通り、製本システムは、無線綴じ処理で製本物を製本する製本機１００と、製本物の端辺部を断裁する三方断裁機１０１と、製本機１００と断裁機１０１との間に設けられる冷却システム１と、を備える。
【００１９】
製本機１００は、例えば特開２０１１−３７２１６号公報に記載されているように周知技術であるので、詳細な説明は省略する。製本機１００は、本身（一冊分の用紙束）を揃えてクランパで挟持し、本身の背面をフライスカッターで削ることで面一にするミーリング部と、本身の背面にホットメルトの糊を付ける糊付け部と、本身の背面に表紙を押し当てて、ニップ板で挟むことで本身に表紙を取り付ける表紙取付け部と、を備える。
【００２０】
断裁機１０１は、例えば特開２００１−２５２８９０号公報に記載されているように周知技術であるので、詳細な説明は省略する。断裁機１０１は、製本物の天辺縁部、地辺縁部および小口辺縁部を断裁することで、製本物を所定の寸法に仕上げる。
【００２１】
図１及び図２の通り、冷却システム１は、製本機１００と断裁機１０１との間に設けられる。上記の通り、製本機１００で製本される製本物３０は、糊付け部によって、本身の背面と表紙との間に糊が付着している。この糊が半乾きの間に断裁機１０１が製本物３０を断裁すると、本身と表紙との間の強度不足によって奇麗な製本物に仕上げることができない。そのため、製本システムは、冷却システム１で一定の時間をかけて製本物３０を製本機１００から断裁機１０１へ搬送することで、その間で、製本物３０の糊を自然に冷却させて硬化させている。
【００２２】
冷却システム１は、集積装置５を備える。製本機１００によって製本された製本物３０は、排出コンベヤー１０２で製本機１００から排出されて、集積装置５へ送られる。集積装置５は、入口５ａから搬入される所定部数の製本物３０を積み重ねることができるように構成されている（以下、積み重ねられた複数の製本物を「製本物群」という場合がある）。集積装置５は、製本物群又は１冊の製本物３０を出口５ｂから搬出するための搬出部１０を備える。搬出部１０は、出口５ｂへ製本物群（又は１冊の製本物３０）を押し出すための押出し部１０ａと、押出し部１０ａを出口５ｂへ移動するための駆動機構１０ｂとを備える。駆動機構１０ｂは、例えば、押出し部１０ｂを備えた無端ベルトと、無端ベルトを回転するためのモータとからなる。
【００２３】
冷却システム１は、コンベヤー装置２を備える。コンベヤー装置２は、集積装置５と断裁機１０１との間に配置される。コンベヤー装置２は、集積装置５の出口５ｂから搬出される製本物３０を断裁機１０１へ搬送する。コンベヤー装置２は、搬送方向２ａへ駆動するための駆動機構２０を備える。駆動機構２０は、例えば、製本物３０を載置するコンベヤーベルトと、コンベヤーベルトを回転するためのモータとからなる。
【００２４】
冷却システム１は、制御部４を備える。制御部４は、搬出部１０の駆動機構１０ｂとコンベヤー装置２の駆動機構２０とに接続されている。制御部４は、各駆動機構１０ｂ、２０に設けられたモータの回転等を制御することで、搬出部１０が製本物３０を搬出するタイミングや、コンベヤー装置２が製本物３０を搬送する距離、タイミング、速度などを制御するように構成されている。
【００２５】
図１及び図３の通り、冷却システム１は、製本機１００の出口１００ａに設けられた情報読取り部３を備える。情報読取り部３は、製本物３０に設けられた情報部３ａの情報を読み取るように構成されている。本実施形態では、情報部３ａはバーコードからなり、情報読取り部３はバーコードリーダーからなる。他の実施形態として、情報部３ａは文字情報又は画像情報等であってもよく、情報読取り部３は画像識別装置であってもよい。情報読取り部３は、制御部４に接続されている。
【００２６】
情報部３ａには、製本機１００から搬出される製本物３０と次の製本物３０’とを積み重ね可能か否か判定するための情報が記録されている。例えば、制御部４は、製本物３０の情報部３ａの情報と次の製本物３０’の情報部３ａ’の情報とが同じ場合は、製本物３０と次の製本物３０’とを積み重ね可能と判定し、異なる場合は、製本物３０と次の製本物３０’とを積み重ね不可能と判定する。
【００２７】
図４の通り、情報読取り部３は、製本機１００の出口１００ａから搬出される製本物３０の情報部３ａを読み取り、情報部３ａの情報を制御部４へ送る（図４のステップＳ１）。制御部４は、送られた情報部３ａの情報に基づいて、製本物３０と次の製本物３０’とが積み重ね可能か否かを判定する（図４のステップＳ２）。
【００２８】
制御部４は、積み重ね可能と判定した場合、製本物３０と次の製本物３０’とを集積装置５に載置して、そのまま待機させる（図４のステップＳ３）。
一方、制御部４は、積み重ね不可能と判定した場合、製本物３０を集積装置５に載置し、その後すぐに、搬出部１０で製本物３０を集積装置５から搬出する（図４のステップＳ４）。従って、積み重ね不可能と判定した場合、制御部４は、製本物３０と次の製本物３０’とを集積装置５で積み重ねずに、製本物３０を集積装置５からコンベヤー装置２へ搬出するようになっている。
【００２９】
制御部４は、製本物３０が集積装置５から搬出されてから、次の製本物３０’が集積装置５から搬出されるまでの間、コンベヤー装置２による製本物３０の搬送を待機し、製本物３０’が集積装置５から搬出されと、コンベヤー装置２で製本物３０を所定距離Ｌだけ搬送する。即ち、製本物３０が集積装置５から搬出されるごとに、コンベヤー装置２で製本物３０を間欠的に送るようになっている。
【００３０】
例えば、３冊の積み重ね可能な製本物３０ａが搬送され、その後、１冊の積み重ね不可能な製本物３０ｂが搬送され、その後、４冊の積み重ね可能な製本物３０ｃが搬送される場合について説明する。
製本物と次の製本物とが製本機１００から搬出される時間間隔をｔ秒とする。
【００３１】
先ず、３冊の製本物３０ａが集積装置５に積み重ねられる。そして、３冊の製本物（製本物群）３０ａが集積装置５から搬出されるまで、コンベヤー装置２の搬送が待機される（ｔ×３秒）。３冊の製本物３０ａが集積装置５から搬出される時、コンベヤー装置２が３冊の製本物（製本物群）３０ａを所定距離Ｌだけ搬送する。
そして、１冊の製本物３０ｂが集積装置５に載置される。そして、１冊の製本物３０ｂが集積装置５から搬出されるまで、コンベヤー装置２の搬送が待機される（ｔ×１秒）。その後、１冊の製本物３０ｂが集積装置５から搬出される時に、コンベヤー装置２が１冊の製本物３０ｂを所定距離Ｌだけ搬送する。それにより、先の３冊の製本物（製本物群）３０ａも所定距離Ｌだけ搬送される。
そして、４冊の製本物３０ｃが集積装置５に積み重ねられる。そして、４冊の製本物（製本物群）３０ｃが集積装置５から搬出されるまで、コンベヤー装置２の搬送が待機される（ｔ×４秒）。その後、４冊の製本物（製本物群）３０ｃが集積装置５から搬出される時に、コンベヤー装置２が４冊の製本物３０ｃを所定距離Ｌだけ搬送する。それにより、先の３冊の製本物（製本物群）３０ａ及び１冊の製本物３０ｂも所定距離Ｌだけ搬送される。
ここで、所定距離Ｌは、いずれの製本物３０よりも長く、集積装置５から搬出される製本物（製本物群）と次の製本物（製本物群）とが衝突しないように設定される。そのため、所定距離Ｌは、同一距離である必要はなく、搬送される製本物ごとに変更してもよい。
【００３２】
上記の通り、積み重ねることができる製本物３０ａ，３０ｃと積み重ねることができない製本物３０ｂとが搬送される場合でも、冷却システム１は、製本物（製本物群）３０ａ，３０ｂ，３０ｃが集積装置５から搬出されるごとに、製本物（製本物群）３０ａ，３０ｂ，３０ｃを所定距離だけ間欠的に搬送する。従って、一冊の製本物３０ｂが搬出された後、複数の製本物３０ｃが積み重ねられている間、先の一冊の製本物３０ｂは搬送されずに待機している。
即ち、本発明の冷却システム１は、積み重ねている間だけ製本物の搬送を待機して、製本物（製本物群）を間欠的に搬送する。その結果、複数の製本物を積み重ねている間、搬送することなく待機することで、その待機時間だけ糊を冷却する時間を確保できるので、コンベヤー装置の距離を長くする必要がなく、省スペース化を実現できる。
【００３３】
さらに、情報部３ａに、断裁前の製本物３０の寸法Ｗ１と、断裁機１０１による断裁後の製本物３０の寸法Ｗ２とからなる寸法情報Ｗを記録することができる。そして、制御部４は、寸法情報Ｗに基づいて、製本物３０と次の製本物３０’とを積み重ね可能か否かを判定する。
【００３４】
制御部４は、製本機１００から搬出される製本物３０の寸法情報Ｗと、製本機１００から搬出される次の製本物３０’の寸法情報Ｗ’とが同一の場合（Ｗ＝Ｗ’）は、製本物３０と次の製本物３０’とは積み重ね可能と判定し、一方、同一でない場合（Ｗ≠Ｗ’）は、製本物３０と次の製本物３０’とは積み重ね不可能と判定する。
【００３５】
さらに、図１の通り、冷却システム１は、制御部４に接続される入力部６を備えることができる。入力部６は、集積装置５に積み重ねる製本物３０の上限数ｃ１を入力するための入力領域６ａを備える。作業者は、予め、上限数ｃ１を入力領域６ａに入力して、制御部４に記憶させる。
【００３６】
制御部４は、情報読取り部３で読み取った情報の数ｃ２をカウントするようになっている。さらに、制御部４は、情報の数ｃ２のカウントに基づいて、集積装置５に積み重ねられた製本物３０の数ｃ３をカウントする。そして、製本物３０と次の製本物３０’とを積み重ねると、集積装置５に積み重ねられる製本物（製本物群）３０の数ｃ３が、上限数ｃ１を超える場合（ｃ３＞ｃ１）、制御部４は、製本物３０と次の製本物３０’とは積み重ね不可能と判定して、集積装置５から製本物（製本物群）３０を搬出するようになっている。
【００３７】
さらに、情報部３ａに、製本物３０の厚みの寸法からなる厚み情報ｈを記録することができる。制御部４は、集積装置５に積み重ねることができる製本物３０の厚みの上限値を閾値ｈｕとして記憶している。制御部４は、情報読取り部３で読み取った厚み情報ｈを積算できるようになっており、集積装置５に積み重ねられた製本物（製本物群）３０の厚みｈｔを算出する。そして、製本物３０と次の製本物３０’とを積み重ねると、集積装置５に積み重ねられる製本物（製本物群）３０の厚みｈｔが、閾値ｈｕを超える場合（ｈｔ＞ｈｕ）、制御部４は、製本物３０と次の製本物３０’とは積み重ね不可能と判定して、集積装置５から製本物（製本物群）３０を搬出するようになっている。
【符号の説明】
【００３８】
１  冷却システム
２  コンベヤー装置
３  情報読取り部
３ａ  情報部
４  制御部
５  集積装置
６  入力部
６ａ  入力領域
１０  搬出部
３０  製本物
３０’  次の製本物
１００  製本機
１０１  断裁機
Ｗ  寸法情報
ｈ  厚み情報
【図１】
2014054731.tif 000003
【図２】
2014054731.tif 000004
【図３】
2014054731.tif 000005
【図４】
2014054731.tif 000006